【事件の表示】
　特願２００５−　　２２３０「加熱調理器」拒絶査定不服審判事件〔平成１７年　４月１４日出願公開，特開２００５−　９８７０１〕について，次のとおり審決する。
【結　論】
　本件審判の請求は，成り立たない。
【理　由】
１．　手続の経緯
　本願は，平成１３年５月２５日に出願した特願２００１−１５６２０４号の一部を平成１７年１月７日に新たな特許出願としたものであって，平成１７年９月２０日付けで拒絶査定がなされ，これに対し，同年１０月２７日に審判請求がなされるとともに，同年１１月２８日に手続補正がなされ，この手続補正が同年１２月２６日に方式補正されたものである。
　　
２．　平成１７年１２月２６日に方式補正された同年１１月２８日付け手続補正についての補正却下の決定
　　
［補正却下の決定の結論］
　平成１７年１２月２６日に方式補正された同年１１月２８日付け手続補正を却下する。
　　
［理　由］
　　
（１）　補正後の請求項１に記載された発明　　
　平成１７年１２月２６日に方式補正された同年１１月２８日に付け手続補正（以下「本件補正」という。）により，特許請求の範囲の請求項１は，次のとおり補正された。
　　
　「本体と，本体の上部を覆うトッププレートと，トッププレートの外周部に設けた枠体と，トッププレートの下部に設けられた加熱部である左ヒータ，右ヒータと，加熱部に通電させるために操作するヒータ操作部とを有する加熱調理器において，前記ヒータ操作部は枠体の上面に設けられると共に，前記ヒータ操作部の周囲の枠体にはリブ状の突起が枠体の上面と同一高さで該枠体と一体形状に設けられ，前記ヒータ操作部の表面が枠体の上面よりもリブの分だけ下がった場所に位置していることを特徴とする加熱調理器。」
　　
　上記補正は，補正前の請求項１に記載した発明を特定するために必要な事項である「リブ状の突起」について，「リブ状の突起が枠体と一体形状に設けられ，」を「リブ状の突起が枠体の上面と同一高さで該枠体と一体形状に設けられ，」と付加し限定することを含むものであって，特許法第１７条の２第４項第２号の特許請求の範囲の減縮を目的とするものに該当する。
　
　そこで，本件補正後の請求項１に記載された発明（以下，「本願補正発明」という。）が特許出願の際に独立して特許を受けることができるものであるか（特許法第１７条の２第５項において準用する同法第１２６条第５項の規定に適合するか）について以下に検討する。
　　
（２）　引用例に記載された事項
　本願出願前に頒布された刊行物である，原審における平成１７年４月１日付け拒絶理由で引用した特開平１０−１６５２４３号公報（以下，「引用例１」という。），及び実願昭５５−１４７４６７号（実開昭５７−６９１８９号）のマイクロフィルム（以下，「引用例２」という。）には，それぞれ図面と共に以下の記載がある。
　　
［引用例１について］
　
１ａ．　「図３及び図４は，本実施例に係る組込み式加熱調理装置２１の外観を示している。ここで，キッチンの調理台２２は，箱状に構成され，その上面は，若干前方へ突出した形態のカウンタートップ２２ａ（図１等参照）とされている。また，この調理台２２には，カウンタートップ２２ａの上面にて矩形状に開口する嵌込部２２ｂ（図１等参照）が形成されている。本実施例に係る組込み式加熱調理装置２１は，本体２３と下部ユニット２４とを備え，前記調理台２２の嵌込部２２ｂに組込まれるようになっている。
・・・。
　前記本体２３は，図５等にも示すように，上面が開口した矩形箱状をなす本体ケース２５内に，図示しない加熱装置を配設すると共に，その上面に，鍋Ａ（図６参照）等の被加熱体が載置される例えば耐熱ガラス製のトッププレート２６を設けて構成されている。この場合，本実施例では，前記加熱装置として，左右に位置して夫々誘導加熱コイル及びその駆動回路が設けられていると共に，中央後部に位置してコイルヒータが設けられており，もって，トッププレート２６上に，左右に誘導加熱調理部２７，２８が構成されていると共に，中央後部に加熱調理部２９が構成されている。」（段落【００１７】，【００１８】）
　　
１ｂ．　「さて，前記フレーム及び操作パネル部３３部分について詳述する。図５に示すように，前記フレームは，この場合，前記トッププレート２６の前後左右の四辺部を夫々保持する，前辺フレーム４０，後辺フレーム４１，左フレーム４２，右フレーム４３の４部品から構成されている。
・・・。
　前記前辺フレーム４０は，図２等に示すように，トッププレート２６の前辺部を保持する断面コ字状の保持部４４と，この保持部４４の下部から前方に略水平に延びる延出部４５と，その延出部４５の前後方向中間部から下方に延び前記本体ケース２５と連結される連結部４６とを一体的に有して構成されている。さらに，本実施例では，前辺フレーム４０の保持部４４の上面部には，上方に突出するリブ４７が一体的に形成されている。」（【００２２】ないし【００２４】）
　
１ｃ．　「尚，詳しい説明は省略するが，前記前辺フレーム４０は操作パネル部３３及びベース部５７が取付けられ，他のフレーム４１，４２，４３と相互に接続された状態でトッププレート２６に組付けられ，その後本体ケース２５に連結される。」（段落【００３４】中）
　　
１ｄ．　「次に，上記構成の作用について，図６も参照しながら述べる。使用者が，加熱調理を行うにあたっては，図６（ａ）に示すように，調理物を収容した鍋Ａを，トッププレート２６上の所望の加熱調理部２７，２８，２９に載置し，操作パネル部３３の該当する加熱調理部２７，２８，２９に対応したオン・オフ用の操作キー５３を押圧操作する。すると，該当する加熱調理部２７，２８，２９の加熱装置への通電が開始され，加熱調理が開始される。」（段落【００３５】中）
　　
１ｅ．　「ところで，このように操作パネル部３３を調理台２２の上面部に位置して設けたものでは，鍋Ａをトッププレート２６上に載置する際に，その一部をトッププレート２６から前部にはみ出した形態で乗せようとしたり，あるいは，調理後に鍋Ａを取上げる際に鍋Ａを前側に引きずってしまうことがあると，鍋Ａが操作パネル部３３に乗っかってしまい，不要に操作キー５３が押されてしまったり，鍋Ａの熱が操作パネル部３３に悪影響を及ぼしたりする虞が考えられる。　
　ところが，本実施例では，前辺フレーム４０の保持部４４の上面部にトッププレート２６よりも上方に突出するリブ４７を設けたので，鍋Ａをトッププレート２６上に載置するにあたって，鍋Ａの一部がトッププレート２６の前側にはみ出た状態となることがあっても，図６（ｂ）に示すように，鍋Ａの一部がそのリブ４７上に乗上げてしまうだけで，操作パネル部３３上に乗っかるといったことはなくなる。また，調理後に鍋Ａを前側に引きずることがあっても，リブ４７がストッパとなってそれ以上前側に来ることがなくなり，もって鍋Ａが操作パネル部３３上に乗り上げることを未然に防止することができるものである。」（段落【００３９】，【００４０】中）
　　
１ｆ．　「尚，本発明は上記し図面に示した各実施例に限定されるものではなく，例えば加熱装置としては，誘導加熱コイルやコイルヒータに限らず，ハロゲンランプヒータ等を採用しても良く，」（段落【００６１】中）
　　
　ところで，記載事項１ｂ，１ｅを参照すると，図１，図２，図６から，前記操作パネル部３３の表面が前辺フレーム４０に一体的に形成されたリブ４７の上面よりリブ分だけ下がった場所に位置していることが認められる。また，このリブ４７は，前辺フレーム４０と一体形状に設けられたリブ状の突起といえる。
　　
　したがって，記載事項１ａないし１ｆ及び図１ないし図６から，引用例１には，次の発明（以下，「引用例１の発明」という。）が記載されていると認められる。
　　
　本体と，本体の上部を覆うトッププレートと，トッププレートの外周部に設けたフレームと，トッププレートの下部に設けられた加熱部である左誘導加熱コイル，右誘導加熱コイルと，加熱部に通電させるために操作する操作パネル部とを有する組込み式加熱調理装置において，前記操作パネル部はフレームの上面に設けられると共に，前記操作パネル部とトッププレートとの間のフレームには，リブ状の突起が該フレームと一体形状に設けられ，前記操作パネル部の表面が前記リブ状の突起の上面よりリブ分だけ下がった場所に位置している組込み式加熱調理装置。
　
［引用例２について］
　　
２ａ．　「誘導加熱調理器は，第１図に示す如く，調理鍋が載置されるトッププレート１，加熱出力調節或いは温度調節等の調理制御を行うキーボード２，このキーボード２上のキー３，３…にて設定された出力等が表示される表示部４とを備えている。・・・。
　このような調理器では，鍋載置部５…５と，キーボード２とが隣接して配置されるため，調理鍋を誤ってキーボード２上に置いたり，或いは調理の載，キーボード２に触れること等により，誤った情報を入力する惧れがある。またキーボード２には，キー３，３…とその周辺部に隙間を生じないメンプレン（薄膜）スイッチが使用され，液体の調理器内の侵入を阻止しているが，かかるメンプレンスイッチ表面に利用されるポリエステルフィルム等の樹脂フィルムは，熱に弱く加熱された調理鍋に触れて歪みを生じたり或は破損されるという事故が生じる。」（１頁１１行ないし２頁１０行）
　　
２ｂ．　「本考案はこのような事情に対処すべくなされたもので，第２Ａ図及び第２Ｂ図に示すように，キーボード２を覆う保護カバー６を設けたものである。この保護カバー６は耐熱性樹脂にて形成され，４組のキーに対応して４つの開孔７…７が設けられている。この開孔７…７は，これを介して指がキー３，３…に触れる程度の大きさに形成される必要がある。・・・。
　以上要するに本考案キー保護カバーは，キーボード上に，このカバーを取りつけた状態で，キー操作が可能であるから，誘導加熱調理器の如く，加熱された調理鍋を扱う装置にあって，これをキーボード上に置いたとしてもキーが破損される惧れはない。」（２頁１１行ないし３頁７行）
　　
（３）　対比，一致点・相違点
　本願補正発明と引用例１の発明を対比すると，引用例１の発明の「フレーム」，「誘導加熱コイル」，「操作パネル部」及び「組込み式加熱調理装置」は，それぞれ本願補正発明の「枠体」，「ヒータ」，「ヒータ操作部」及び「加熱調理器」に相当する。
　　
　したがって，両発明は，
　本体と，本体の上部を覆うトッププレートと，トッププレートの外周部に設けた枠体と，トッププレートの下部に設けられた加熱部である左ヒータ，右ヒータと，加熱部に通電させるために操作するヒータ操作部とを有する加熱調理器において，前記ヒータ操作部は枠体の上面に設けられると共に，前記枠体にはリブ状の突起が該枠体と一体形状に設けられた加熱調理器の点で一致し，次の点で相違する。
　
　相違点
　本願補正発明では，前記ヒータ操作部の周囲の枠体にはリブ状の突起が枠体の上面と同一高さで該枠体と一体形状に設けられ，前記ヒータ操作部の表面が枠体の上面よりもリブの分だけ下がった場所に位置しているのに対して，
　引用例１の発明では，前記ヒータ操作部とトッププレートとの間の枠体にはリブ状の突起が該枠体と一体形状に設けられ，前記操作パネル部の表面が前記リブ状の突起の上面よりリブ分だけ下がった場所に位置している点。
　　
（４）　相違点についての検討
　引用例２には，誘導加熱調理器において，調理鍋をキーボードの上に置いたとしても，誤った情報が入力されることのないように，また，キーが破損することがないように，キーボードの表面をその周囲を囲む部材の上面より下がった場所に位置させ，該キーボードを保護カバーで覆い，該保護カバー６は，調理鍋をキーボード上に置いたとしても，調理鍋とキーボードとが直接接触することがないように，周辺部及びその中の十字状のリブを有する点が記載されている。
　
　したがって，引用例１の発明において，調理鍋をヒータ操作部の上に置いたとしても，誤った情報が入力されることのないように，また，キーが破損することがないように，前記ヒータ操作部とトッププレートとの間の枠体にリブ状の突起を該枠体と一体形状に設け，前記操作パネル部の表面を前記リブ状の突起の上面よりリブ分だけ下がった場所に位置させるのに代えて，ヒータ操作部の周囲に枠体を設け，該ヒータ操作部の表面を周囲の枠体の上面より下がった場所に位置させ，リブ状の突起を枠体の上面と同一高さで該枠体と一体形状に設けることにより，上記相違点に係る本願補正発明の構成を採用することは，当業者が容易に想到し得たことである。
　
　そして，本願補正発明の効果は引用例１及び２の発明から予測し得る程度のものであって，格別なものでない。
　　
（５）　むすび
　本願補正発明は，引用例１及び２の発明の発明に基づいて当業者が容易に発明をすることができたものであるから，特許法第２９条第２項の規定により，特許出願の際に独立して特許を受けることができないものである。
　　
　したがって，本件補正は，特許法第１７条の２第５項において準用する同法第１２６条第５項に違反するので，同法第１５９条第１項において読み替えて準用する同法第５３条第１項の規定により却下されるべきものである。
　　　
３．　本願発明について
　
（１）　本願の請求項１に係る発明
　本件補正は前記のとおり却下されたので，本願の請求項１に係る発明（以下，「本願発明」という。）は，平成１７年６月２７日付けの手続補正により補正された明細書及び図面の記載からみて，その特許請求の範囲の請求項１に記載されたとおりの次のものである。
　　
　「本体と，本体の上部を覆うトッププレートと，トッププレートの外周部に設けた枠体と，トッププレートの下部に設けられた加熱部である左ヒータ，右ヒータと，加熱部に通電させるために操作するヒータ操作部とを有する加熱調理器において，前記ヒータ操作部は枠体の上面に設けられると共に，このヒータ操作部の周囲の枠体にはリブ状の突起が枠体と一体形状に設けられ，ヒータ操作部の表面が枠体の上面よりもリブの分だけ下がった場所に位置していることを特徴とする加熱調理器。」
　　
（２）引用例
　原査定の拒絶の理由に引用した引用例，及びその記載事項は前記「２．（２）」に記載したとおりである。
　
（３）対比・判断
　本願発明は，前記「２．」で検討した本願補正発明から，「リブ状の突起」について，「リブ状の突起が枠体の上面と同一高さで該枠体と一体形状に設けられ，」を「リブ状の突起が枠体と一体形状に設けられ，」とするものである。
　
　そうすると，本願発明の発明特定事項を全て含み，さらに他の発明特定事項を付加したものに相当する本願補正発明が，前記「２．（３），（４）」に記載したとおり，引用例１及び２に記載された発明に基づいて，当業者が容易に発明をすることができたものであるから，本願発明も，同様の理由により，引用例１及び２に記載された発明に基づいて，当業者が容易に発明をすることができたものである。
　
（４）　まとめ
　本願発明は，引用例１及び２の発明に基づいて当業者が容易に発明をすることができたものであるから，特許法第２９条第２項の規定により特許を受けることができない。
　　
　よって，本願の他の請求項に係る発明については検討するまでもなく，結論のとおり審決する。